(57)【要約】【課題】蓋の持ち上がりを抑制するための補強部材を取り付けた状態で電源コードの取り付けおよび取り外し動作を容易に行うことのできる圧力式炊飯器を提供する。【解決手段】圧力式炊飯器１は、主として、筐体１１１と、蓋体１４０と、内鍋１３０と、枠部材１７０と、ヒンジ機構１５０と、連結部材１６１と、コードリール１３１とを備えている。筐体１１１は、側壁１１１ａと底壁１１１ｂとを有する。枠部材１７０は、筐体１１１の内部において内鍋１３０を保持する。連結部材１６１は、ヒンジ機構１５０の下方において、枠部材１７０と底壁１１１ｂとを連結する。コードリール１３１は、ヒンジ機構１５０の下方に位置し、側壁１１１ａと連結部材１６１との間に収容されている。【選択図】図３
2020192083.tif 000002
【特許請求の範囲】
【請求項１】
側面部材と底部材とを有する筐体と、
前記筐体の開口部を開閉可能に覆う蓋体と、
前記筐体の内部に配置される内鍋と、
前記筐体の内部において前記内鍋を保持する枠部材と、
前記枠部材に取り付けられ、前記蓋体を回動可能に支持するヒンジ部と、
前記ヒンジ部の下方において、前記枠部材と前記底部材とを連結する連結部材と、
前記ヒンジ部の下方に位置している電源コードと
を備え、
前記電源コードは、前記側面部材と前記連結部材との間に収容されている圧力式炊飯器。
【請求項２】
前記底部材が取り外された状態で、前記電源コードの下方は開放状態となる、請求項１に記載の圧力式炊飯器。
【請求項３】
前記内鍋の外側には、前記内鍋を加熱する誘導加熱部が備えられており、
前記連結部材は、前記電源コードと前記誘導加熱部との間に配置されている、
請求項１または２に記載の圧力式炊飯器。
【請求項４】
前記側面部材の内面には、前記電源コードを抱え込む抱え込み部が設けられている、
請求項１から３の何れか１項に記載の圧力式炊飯器。
【発明の詳細な説明】
【技術分野】
【０００１】
本発明は、加圧状態にして炊飯を行う圧力式炊飯器に関する。
【背景技術】
【０００２】
一般に炊飯器は、ワークコイル、保温ヒータ及び蓋ヒータ等の複数個の加熱手段を有し、これら加熱手段を駆使して自動的に炊飯及び保温を行いユーザーに最適なご飯等を提供する器具として広く知られている。ところで、炊飯の各工程時に内鍋内を加圧状態にして炊飯を行うと、米内への熱伝導と吸水速度が早まり、その結果十分な吸水が行われ、炊きムラのないより美味しいご飯を短時間で炊き上げることができるようになる。このような炊飯器は、圧力式炊飯器として知られている（例えば、特許文献１参照）。
【０００３】
鍋内を加圧状態にして炊飯を行う圧力式炊飯器においては、鍋内の圧力が大気圧よりも高くなるため、鍋の上方に位置する蓋体の部分が持ち上げられるように強い圧力がかかる。その結果、ヒンジ部の近傍部分には、湾曲するように強い圧力がかかり、破壊又は変形し易くなる。そこで、特許文献２には、ヒンジ部の近傍部分の破壊又は変形を抑えるために、ヒンジ補強部材２１と上枠補強部材２２とを備えている圧力式炊飯器が開示されている。
【先行技術文献】
【特許文献】
【０００４】
【特許文献１】特開２０１９−４２４２９号公報
【特許文献２】特開２０１７−４２５４２号公報
【発明の概要】
【発明が解決しようとする課題】
【０００５】
しかしながら、例えば、特許文献１に開示された圧力式炊飯器などのように、ヒンジ部が配置されている炊飯器の背面側には、電源コードを収容するコードリール（特許文献１では、コード巻取器３５）が配置されていることがある。このような構成では、加圧時に蓋が持ち上がるのを抑制するための補強部材の配置位置が制限される。また、補強部材の配置位置によっては、コードリールの取り付けおよび取り外し作業の障害となる可能性がある。
【０００６】
そこで、本発明では、蓋の持ち上がりを抑制するための補強部材を取り付けた状態で電源コードの取り付けおよび取り外し動作を容易に行うことのできる圧力式炊飯器を提供する。
【課題を解決するための手段】
【０００７】
本発明の一局面にかかる圧力式炊飯器は、側面部材と底部材とを有する筐体と、前記筐体の開口部を開閉可能に覆う蓋体と、前記筐体の内部に配置される内鍋と、前記筐体の内部において前記内鍋を保持する枠部材と、前記枠部材に取り付けられ、前記蓋体を回動可能に支持するヒンジ部と、前記ヒンジ部の下方において、前記枠部材と前記底部材とを連結する連結部材と、前記ヒンジ部の下方に位置している電源コードとを備えている。この圧力式炊飯器において、前記電源コードは、前記側面部材と前記連結部材との間に収容されている。
【０００８】
上記の構成によれば、連結部材は、筐体内のヒンジ部の下方において、枠部材と底部材とを連結している。これにより、圧力炊飯時における蓋体の持ち上がりを抑制することができる。また、上記の構成では、ヒンジ部の下方に位置している電源コードは、側面部材と連結部材との間に収容されている。これにより、電源コードの収容空間に干渉することなく連結部材を配置することができる。したがって、連結部材を取り付けた状態で電源コードの取り付けおよび取り外し動作を行うことができる。
【０００９】
上記の本発明の一局面にかかる圧力式炊飯器は、前記底部材が取り外された状態で、前記電源コードの下方は開放状態となることが好ましい。
【００１０】
上記の構成によれば、圧力式炊飯器本体から底部材のみを取り外すことで、電源コードの下方部分を露出させることができる。これにより、圧力式炊飯器本体から底部材のみを取り外し、連結部材は取り外すことなく、電源コードの取り付けおよび取り外し作業を容易に行うことができる。
【００１１】
上記の本発明の一局面にかかる圧力式炊飯器において、前記内鍋の外側には、前記内鍋を加熱する誘導加熱部が備えられており、前記連結部材は、前記電源コードと前記誘導加熱部との間に配置されていることが好ましい。
【００１２】
上記の構成によれば、電源コードを、誘導加熱部から所定の距離だけ離れた状態で配置することができる。これにより、誘導加熱部において発生する電磁波が電源コードに及ぼす影響を低減させることができる。
【００１３】
上記の本発明の一局面にかかる圧力式炊飯器において、前記側面部材の内面には、前記電源コードを抱え込む抱え込み部が設けられていてもよい。抱え込み部が電源コードを抱え込むことで、筐体内において電源コードを安定した状態で収容することができる。
【発明の効果】
【００１４】
以上のように、本発明の一局面にかかる圧力式炊飯器によれば、蓋の持ち上がりを抑制するための連結部材を取り付けた状態で電源コードの取り付けおよび取り外し動作を容易に行うことができる。
【図面の簡単な説明】
【００１５】
【図１】本発明の一実施形態にかかる炊飯器の外観構成を示す正面図である。
【図２】図１に示す炊飯器の底部分の構成を示す平面図である。
【図３】図２に示す炊飯器の内部構成を示す断面図である。
【図４】図２に示す炊飯器から底壁を取り外した状態を示す平面図である。
【図５】本発明の一実施形態にかかる炊飯器を構成する枠部材（肩部材、保護枠、および基板支持部材）を分解した状態で示す分解斜視図である。
【図６】本発明の一実施形態にかかる炊飯器から底壁を取り外した状態で本体内部の構成を示す下方斜視図である。
【図７】本発明の一実施形態にかかる炊飯器の保護枠に対して連結部材を取り付けた状態を示す斜視図である。
【図８】本発明の一実施形態にかかる炊飯器の本体に対してコードリールを着脱する様子を示す斜視図である。
【発明を実施するための形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
本実施形態では、圧力式炊飯器の一例である誘導加熱式の圧力炊飯器１００（以下、炊飯器１００とも称する）を例に挙げて説明する。
【００１８】
（炊飯器の全体構成）
まず、本実施の形態にかかる炊飯器１００の全体構成について説明する。図１には、炊飯器１００の外観を示す。炊飯器１００は、主として、本体１１０と、蓋体１４０とで構成されている。蓋体１４０は、本体１１０の上方の開口部を開閉可能な状態で覆っている。
【００１９】
図２には、炊飯器１００の底部分の外観を示す。図３には、炊飯器１００の内部構成を示す。図３は、図２に示す炊飯器１００のＡ−Ａ線部分の断面図である。図４には、図２に示す炊飯器１００の底部周辺の内部構成を示す。
【００２０】
１．本体
本体１１０は、主として、筐体１１１、枠部材１７０、内鍋１３０、ヒンジ機構（ヒンジ部）１５０、取っ手１１２、断熱材（図示せず）、誘導加熱コイル１１３、フェライトコア組立体１２１、送風ファン１１５、ヒートシンク１１６、操作パネル１１７、電源回路基板１１８、制御回路基板１１９、および電源コードユニット１２０などを備えている。以下、これらの構成要素について詳述する。
【００２１】
（１）筐体
筐体１１１は、本体１１０の外形を主に構成している。筐体１１１は、主な構成部材として、側壁（側面部材）１１１ａと、底壁（底部材）１１１ｂとを有している。
【００２２】
側壁１１１ａは、平面視において略長方形を呈する囲い壁であって、図１に示されるように本体１１０の側面を構成している。また、この側壁１１１ａには、取っ手１１２が回動自在に取り付けられる。
【００２３】
底壁１１１ｂは、略方形の板状体であって、図１に示されるように側壁１１１ａの下側に嵌め込まれており、側壁１１１ａの下側の開口を覆っている。底壁１１１ｂには、図２に示されるように、筐体１１１の外部の空気を内部に吸い込むための吸気口Ｏｓ１、および、筐体１１１の内部の空気を外部に排出するための排気口Ｏｓ２が形成されている。吸気口Ｏｓ１は、本体１１０の前方側（操作パネル１１７が配置されている側）に位置し、排気口Ｏｓ２は、本体１１０の後方側（ヒンジ機構１５０が配置されている側）に位置している。吸気口Ｏｓ１の直上には、送風ファン１１５が配設されている。この送風ファン１１５が駆動されると、吸気口Ｏｓ１を通って外部の空気が筐体１１１の内部に吸い込まれ、それによって生じる空気流れにより内部の加熱空気が排気口Ｏｓ２から系外に排出される。
【００２４】
筐体１１１には、上方の開口部から後述する枠部材１７０が嵌め込まれる。筐体１１１と枠部材１７０とで形成される構造体の内部には、断熱材（図示せず）、誘導加熱コイル１１３、フェライトコア組立体１２１、送風ファン１１５、ヒートシンク１１６、電源回路基板１１８、制御回路基板１１９、および電源コードユニット１２０などが収容される。
【００２５】
（２）枠部材
図５には、枠部材１７０の各構成部材を分解した状態で示す。枠部材１７０は、主な構成部材として、肩部材１１１ｃ、保護枠１１１ｄ、および基板支持部材１１１ｅを有している。
【００２６】
肩部材１１１ｃは、略方形状の枠体であって、図１に示されるように側壁１１１ａの上側に嵌合されており、側壁１１１ａの上側の開口の縁部を覆っている。この肩部材１１１ｃの下側には、保護枠１１１ｄが取り付けられている。肩部材１１１ｃの前方上側には操作パネル１１７が配設される。また、肩部材１１１ｃの後方には、背面板１７３が設けられている。背面板１７３の後方にはヒンジ機構１５０が位置している。
【００２７】
保護枠１１１ｄは、内鍋１３０の外周を保護すると共に肩部材１１１ｃの形状を保持する役目を担う部材であって、ポリエチレンテレフタレート（ＰＥＴ）樹脂等の形状を保ちやすい材質から形成されている。図５に示されるように、保護枠１１１ｄは、主に、内鍋収容部ＰＡ、フランジ部ＦＰおよび支持部ＳＵで形成されている。内鍋収容部ＰＡは、内鍋１３０の外周を覆う椀状の部位である。フランジ部ＦＰは、肩部材１１１ｃの下側に配設されており、肩部材１１１ｃの後側の枠状部Ｆｒを外側に向かって張ることにより肩部材１１１ｃの後側の枠状部Ｆｒの形状を保持させている。支持部ＳＵは、肩部材１１１ｃの前側の枠状部Ｆｆの後部を外側に向かって張ることにより肩部材１１１ｃの前側の枠状部Ｆｆの後部の形状を保持させている。なお、フランジ部ＦＰの最後方部には、ヒンジ機構１５０が配置されるヒンジ配置部１７２が設けられている。
【００２８】
基板支持部材１１１ｅは、制御回路基板１１９を支持する共に肩部材１１１ｃの前側の部位の形状を保持する役目を担う部材であって、ポリエチレンテレフタレート（ＰＥＴ）樹脂等の形状を保ちやすい材質から形成されている。
【００２９】
肩部材１１１ｃ、保護枠１１１ｄ、および基板支持部材１１１ｅが嵌め合わされると、肩部材１１１ｃのネジ受け柱Ｃｒが基板支持部材１１１ｅのネジ貫入部Ｐｋを通って保護枠１１１ｄのネジ受け部Ｐｂにまで達する（図５参照）。そして、この嵌合状態で保護枠１１１ｄのネジ受け部Ｐｂの下側からネジ（図示せず）が螺入されることによって、肩部材１１１ｃ、保護枠１１１ｄおよび基板支持部材１１１ｅが締結される。
【００３０】
（３）内鍋
内鍋１３０は、上方に開口する椀状の鍋であって、肩部材１１１ｃの開口に挿通されると共に、保護枠１１１ｄの内鍋収容部ＰＡに所定の隙間をもって収容される。内鍋１３０は、種々のアルミニウム合金およびステンレス合金の多層体（クラッド材）で形成される。内鍋１３０は、誘導加熱コイル１１３によって誘導加熱され得る。
【００３１】
（４）ヒンジ機構
ヒンジ機構１５０は、蓋体１４０が本体１１０に対して回動自在となるように蓋体１４０を本体１１０に取り付けている。このヒンジ機構１５０は、蓋体１４０を開方向に向かって付勢している。ヒンジ機構１５０は、本体１１０の背面側の上方に配置されている。
【００３２】
具体的には、ヒンジ機構１５０は、枠部材１７０を構成する保護枠１１１ｄのヒンジ配置部１７２および肩部材１１１ｃの背面板１７３などで形成される空間内に配置される（図２参照）。なお、ヒンジ機構１５０の周囲には、金属などの剛性の高い材料で形成された補強板１７１が配置されている。補強板１７１は、ネジなどを用いて枠部材１７０（具体的には、背面板１７３）に対して固定されている。補強板１７１が設けられていることで、ヒンジ機構１５０周辺の枠部材１７０の形状が安定し、加圧時などにヒンジ機構１５０周辺の構造が変形することを抑制することができる。
【００３３】
（５）取っ手
取っ手１１２は、使用者が炊飯器１００を手で持ち運ぶために設けられている部材である。取っ手１１２は、両側の端部に軸部１１２ｂを有している。軸部１１２ｂは、側壁１１１ａの長手方向中央の上部に形成される孔Ｐｘ（図６参照）を通って、保護枠１１１ｄに嵌合されている。
【００３４】
（６）断熱材
断熱材は、保護枠１１１ｄの内鍋収容部ＰＡの側壁および誘導加熱コイル１１３の外周に巻き付けられており、炊飯時において内鍋１３０から生じる熱が内鍋収容部ＰＡの外側に流出するのを抑制する役割を担っている。
【００３５】
（７）誘導加熱コイル
誘導加熱コイル１１３は、内鍋１３０を誘導加熱する誘導加熱源であって、保護枠１１１ｄの内鍋収容部ＰＡの底壁部および側壁下端部の外側に配設されている。
【００３６】
（８）フェライトコア組立体
フェライトコア組立体１２１は、誘導加熱コイル１１３の周囲に配設されている。フェライトコアは、通電時に誘導加熱コイル１１３から発生する電磁波が外部に漏れ出るのを抑制する役目を担っている。
【００３７】
（９）送風ファン
送風ファン１１５は、上述の通り、筐体１１１の底壁１１１ｂに形成される吸気口Ｏｓ１の直上に配設されている（図３参照）。送風ファン１１５が駆動されると、外部の空気が吸気口Ｏｓ１から吸い込まれて筐体１１１内に流入し、そのまま上方に向かって送られる。上方に向かって送られた外部の空気は、ヒートシンク１１６を通って電源回路基板１１８および制御回路基板１１９などに供給されて、それらの部材等を冷却する。
【００３８】
（１０）ヒートシンク
ヒートシンク１１６は、外部の空気と効率よく熱交換を行わせる部品である。
【００３９】
（１１）操作パネル
操作パネル１１７は、炊飯器１００の運転方法を決定して実行するためのものである。図１に示されるように、操作パネル１１７は、主に、パネル本体１１７ａおよび押圧ボタンＢＴ等から構成されている。上述したように、操作パネル１１７は、肩部材１１１ｃの前方上側に配設されている。
【００４０】
（１２）電源回路基板
電源回路基板１１８は、電源回路を構成する基板であって、いくつかの発熱部品を実装している。電源回路基板１１８は、筐体１１１内の前側空間ＳＰｆに収容されている（図３参照）。
【００４１】
（１３）制御回路基板
制御回路基板１１９は、制御回路を構成する基板であって、マイクロコンピュータ等の電子部品を実装している。制御回路基板１１９は、筐体１１１の前側空間ＳＰｆにおいて、ヒートシンク１１６の上方に配置されている（図３参照）。制御回路基板１１９は、操作パネル１１７の下側に配設される基板支持部材１１１ｅに支持されている。
【００４２】
（１４）電源コードユニット
電源コードユニット１２０は、筐体１１１の後側の空間に配置されている。電源コードユニット１２０は、コードリール（電源コード）１３１を有している。コードリール１３１は、電源コードおよび自動巻取機構などを有している。電源コードは、電源プラグＯＰおよび電気線から構成されている。電源プラグＯＰは、電気線の先端に配設されている。電気線は、伸展自在に自動巻取機構に巻回されている。
【００４３】
後述するように、コードリール１３１は、筐体１１１の側壁１１１ａ、コードリール支持部（抱え込み部）１６５、および連結部材１６１などによって区画される収容空間内に収容されている。また、コードリール１３１は、底壁１１１ｂを取り外した状態で、本体１１０の底部分から取り外し可能となっている（図６参照）。
【００４４】
２．蓋体
蓋体１４０は、主な構成部材として、外装体１４１、開閉ボタン１４２、圧力調整機構（図示せず）、および内蓋１４５などを備えている。蓋体１４０は、ヒンジ機構１５０を介して本体１１０に回動自在に取り付けられている。
【００４５】
外装体１４１は、開閉ボタン１４２、圧力調整機構などを収容している。開閉ボタン１４２は、図１に示されるように、上面が外装体１４１の上側に露出するように外装体１４１に配設されている。なお、外装体１４１は、使用時の内圧に耐えることができるように補強部材によって補強されていてもよい。外装体１４１の下面には、着脱自在に内蓋１４５が配設されている。
【００４６】
開閉ボタン１４２は、蓋体１４０を開閉するための角丸長方形状のボタンである。開閉ボタン１４２の下方には、開閉ボタンの押圧動作をヒンジ機構１５０に伝達するレバー部材が配設されている。
【００４７】
圧力調整機構は、蓋体１４０が閉状態とされ圧力炊飯運転されている状態において、内鍋１３０の内部の圧力を１．０３〜１．３気圧に調整する。また、この圧力調整機構は、圧力炊飯運転中、蓋体１４０を開状態としないようにレバー部材の動作を規制する。なお、本実施の形態において、この圧力調整機構としては、特に限定されず、従前のものが採用されてもかまわない。
【００４８】
内蓋１４５は、図３に示されるように内鍋１３０の上部を覆って密閉するための部材である。
【００４９】
（電源コードユニットの構成について）
続いて、電源コードユニット１２０のより具体的な構成について説明する。図６には、炊飯器１００の本体１１０から底壁１１１ｂを取り外した状態での本体１１０内の下方部分の構成を示す。図６では、肩部材１１１ｃおよび取っ手１１２の図示は省略している。また、図６では、連結部材１６１の図示も省略している。
【００５０】
電源コードユニット１２０のコードリール１３１は、筐体１１１の後側の空間に収容されている。電源コードユニット１２０の上方には、ヒンジ機構１５０が配置されている（図３参照）。すなわち、筐体１１１内の背面側の空間には、上方から順に、ヒンジ機構１５０、保護枠１１１ｄのフランジ部ＦＰ（ヒンジ配置部１７２）、および電源コードユニット１２０が配置されている。
【００５１】
上述したように、コードリール１３１の収容空間は、筐体１１１の側壁１１１ａの内周面、コードリール支持部（抱え込み部）１６５、および連結部材１６１などによって形成されている（図４参照）。
【００５２】
コードリール支持部１６５は、側壁１１１ａの内面から突出するように形成されている。本実施形態では、２つのコードリール支持部１６５が設けられており、これら２つのコードリール支持部１６５によって、略円形の平板状のコードリール１３１の対向する２つ端部を抱え込んでいる。
【００５３】
平板状のコードリール１３１の一方の表面は、側壁１１１ａの内周面に面している。また、平板状のコードリール１３１の他方の表面１３１ａは、保護枠１１１ｄの内鍋収容部ＰＡに面している。コードリール１３１の表面１３１ａと、保護枠１１１ｄの内鍋収容部ＰＡとの間には、連結部材１６１が設けられている（図４参照）。連結部材１６１は、コードリール１３１の表面１３１ａに沿って、筐体１１１の空間を上下方向に延びている。
【００５４】
本実施形態にかかる構成では、底壁１１１ｂが取り外された状態で、電源コードユニット１２０のコードリール１３１の下方は開放状態となっている（図６参照）。なお、後述するように、連結部材１６１を取り付けた状態でも、コードリール１３１の下方には、底壁１１１ｂ以外の部材は配設されていない。そのため、本体１１０から底壁１１１ｂのみを取り外すことで、コードリール１３１の下面を露出させることができる（図４参照）。この構成により、本体１１０から底壁１１１ｂのみを取り外すことで、コードリール１３１の取り付けおよび取り外し作業を行うことができる。
【００５５】
（連結部材の構成について）
続いて、連結部材１６１の詳細な構成について説明する。図７には、枠部材１７０の保護枠１１１ｄに対して連結部材１６１を取り付けた状態を示す。図７では、炊飯器１００の下方側から保護枠１１１ｄを見た状態で図示している。また、図８には、本体１１０からコードリール１３１の取り付けまたは取り外しを行う様子を示す。図８では、本体１１０の外形を構成している側壁１１１ａおよび肩部材１１１ｃなどの図示を省略している。
【００５６】
連結部材１６１は、圧力炊飯時における筐体１１１内の増圧によって蓋体１４０が持ち上がることを抑制するための部材である。また、連結部材１６１は、補強板１７１とともに、ヒンジ機構１５０周辺の強度を向上させるための補強部材としての役割を果たす。
【００５７】
連結部材１６１は、金属などの剛性の高い材料で形成されている。連結部材１６１は、加圧時に圧力の負荷がより大きくなる炊飯器１００の背面側（ヒンジ機構１５０が配置されている側）に配置されている。本実施形態では、連結部材１６１は、ヒンジ機構１５０の下方に配置されており、保護枠１１１ｄおよび肩部材１１１ｃを介して、補強板１７１と間接的に接続されている（図３参照）。
【００５８】
図７に示すように、連結部材１６１は、主軸部１６１ａ、下側フランジ１６１ｂ、および上側フランジ１６１ｃで構成されている。主軸部１６１ａは、筐体１１１内において鉛直方向（上下方向）に延びている。主軸部１６１ａは、細長い略平板状を有している。下側フランジ１６１ｂは、主軸部１６１ａの下端部において、主軸部１６１ａから略直角に折れ曲がるように形成された平板状の部材である。上側フランジ１６１ｃは、主軸部１６１ａの上端部において、主軸部１６１ａから略直角に折れ曲がるように形成された平板状の部材である。本実施形態では、下側フランジ１６１ｂと上側フランジ１６１ｃとは、主軸部１６１ａに対して互いに異なる方向に屈曲している。これにより、連結部材１６１の強度を向上させることができる。但し、連結部材の形状はこれに限定はされない。
【００５９】
図３に示すように、本体１１０の内部において、連結部材１６１の下側フランジ１６１ｂは、底壁１１１ｂの取付面に沿うように配置されている。そして、下方固定部材１６２によって、下側フランジ１６１ｂは、底壁１１１ｂに対して接続固定されている。また、本体１１０の内部において、連結部材１６１の上側フランジ１６１ｃは、保護枠１１１ｄのフランジ部ＦＰの取付面に沿うように配置されている。そして、上方固定部材１６３によって、上側フランジ１６１ｃは、保護枠１１１ｄに対して接続固定されている。下方固定部材１６２および上方固定部材１６３は、ビスなどで構成されている。
【００６０】
以上のように、連結部材１６１は、本体１１０の内部において、枠部材１７０（具体的には、保護枠１１１ｄ）と底壁１１１ｂとを連結している。これにより、圧力炊飯時における蓋体１４０の持ち上がりを抑制することができる。
【００６１】
また、本実施形態にかかる炊飯器１００では、側壁１１１ａの内面と連結部材１６１との間の空間にコードリール１３１を配置している。連結部材１６１の前側には、保護枠１１１ｄの内鍋収容部ＰＡが位置しており、内鍋収容部ＰＡの外面には誘導加熱コイル１１３が配置されている。すなわち、連結部材１６１は、コードリール１３１と誘導加熱コイル１１３との間に配置されている。このような構成とすることで、コードリール１３１を、誘導加熱コイル１１３から所定の距離だけ離れた状態で配置することができる。これにより、誘導加熱コイル１１３において発生する電磁波がコードリール１３１に及ぼす影響を低減させることができる。
【００６２】
また、本実施形態にかかる構成では、本体１１０の下方からコードリール１３１を容易に取り外したり取り付けたりすることができる。これは、底壁１１１ｂが取り外された状態で、電源コードユニット１２０のコードリール１３１の下方が開放状態となっているためである（図６および図８参照）。なお、図８に示すように、連結部材１６１を取り付けた状態でも、底壁１１１ｂを取り外せば、コードリール１３１の下方は開放状態となる。これは、連結部材１６１の下側フランジ１６１ｂが、コードリール１３１側に折れ曲がるのではなく、保護枠１１１ｄの内鍋収容部ＰＡ側に折れ曲がっているためである。
【００６３】
このような構成により、本体１１０から底壁１１１ｂのみを取り外すことで、コードリール１３１の下面を露出させることができる。したがって、コードリール１３１の取り付けおよび取り外し作業を容易に行うことができる。
【００６４】
（変形例）
本実施形態では、連結部材１６１は、細長い軸状（柱状）の形状を有しているが、連結部材１６１の形状は柱状に限定されない。連結部材１６１は、金属性の薄板で形成することもできる。薄板状の連結部材を誘導加熱コイル（誘導加熱部）１１３とコードリール１３１との間に配置することで、電磁波をより確実に遮蔽することができる。これにより、誘導加熱コイル１１３において発生する電磁波の影響で、コードリール１３１の電気線にノイズが生じる可能性をより低減させることができる。
【００６５】
また、本実施形態では、連結部材１６１は、筐体１１１の底壁１１１ｂと、枠部材１７０の保護枠１１１ｄ（具体的には、フランジ部ＦＰ）とを連結している。しかし、別の実施形態では、連結部材は、底壁１１１ｂと、枠部材１７０を構成している他の部材（例えば、肩部材１１１ｃ）とを連結していてもよい。またあるいは、連結部材１６１の上側フランジ１６１ｃに取り付けられた上方固定部材１６３は、保護枠１１１ｄのヒンジ配置部１７２に配設されている補強板１７１に対して固定されていてもよい。この場合には、上方固定部材１６３を構成するビスは、連結部材１６１の上側フランジ１６１ｃから保護枠１１１ｄのフランジ部ＦＰを貫通し、さらに補強板１７１を貫通する。これにより、連結部材１６１の上側フランジ１６１ｃは、フランジ部ＦＰを介して、補強板１７１に対して固定される。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００６７】
１００  ：炊飯器（圧力式炊飯器）
１１０  ：本体
１１１  ：筐体
１１１ａ：側壁（側面部材）
１１１ｂ：底壁（底部材）
１１１ｃ：肩部材（枠部材）
１１１ｄ：保護枠（枠部材）
１１３  ：誘導加熱コイル（誘導加熱部）
１２０  ：電源コードユニット
１３０  ：内鍋
１３１  ：コードリール（電源コード）
１４０  ：蓋体
１５０  ：ヒンジ機構（ヒンジ部）
１６１  ：連結部材
１６５  ：コードリール支持部（抱え込み部）
１７０  ：枠部材
１７１  ：補強板
【図１】
2020192083.tif 000003
【図２】
2020192083.tif 000004
【図３】
2020192083.tif 000005
【図４】
2020192083.tif 000006
【図５】
2020192083.tif 000007
【図６】
2020192083.tif 000008
【図７】
2020192083.tif 000009
【図８】
2020192083.tif 000010